(57)【要約】【課題】複数の画像形成装置の中からユーザにとって最適な画像形成装置を選択する。【解決手段】通信回線に接続された複数の画像形成装置の仕様情報および状態情報を取得する画像形成装置情報取得部と、前記仕様情報および状態情報を評価する項目毎に重み情報を保持する重み格納部と、前記仕様情報および状態情報と前記重み情報とを基に、それぞれの前記画像形成装置を複数の前記項目に基づいて評価し、前記画像形成装置を順位付けする画像形成装置評価手段と、前記画像形成装置評価手段が順位付けした前記画像形成装置の中から最適な画像形成装置を選定する画像形成装置選定部とを備えた。【選択図】        図１
2014056542.tif 000002
【特許請求の範囲】
【請求項１】
通信回線に接続された複数の画像形成装置の仕様情報および状態情報を取得する画像形成装置情報取得部と、
前記仕様情報および状態情報を評価する項目毎に重み情報を保持する重み格納部と、
前記仕様情報および状態情報と前記重み情報とを基に、それぞれの前記画像形成装置を複数の前記項目に基づいて評価し、前記画像形成装置を順位付けする画像形成装置評価手段と、
前記画像形成装置評価手段が順位付けした前記画像形成装置の中から最適な画像形成装置を選定する画像形成装置選定部とを有することを特徴とする画像処理装置。
【請求項２】
請求項１に記載の画像処理装置において、
前記画像形成装置評価手段は、
前記印刷情報取得部が取得した仕様情報および状態情報を基に、前記項目毎の評価結果を数値化する演算部と、
前記重み格納部に格納された重み情報と、前記演算部が数値化した評価結果とを基に、前記画像形成装置毎に１つの評価値を算出し、前記画像形成装置を順位付けする評価部とを有することを特徴とする画像処理装置。
【請求項３】
請求項２に記載の画像処理装置において、
前記項目は、印刷により消耗する消耗品の価格、印刷に要する時間、および印刷により増加する消費電力量を含み、
前記重み情報は、前記価格、前記時間、および前記消費電力量による評価の重み付けをする係数を含み、
前記演算部は、前記仕様情報および状態情報と印刷条件とに基づいて印刷による前記価格、前記時間、および前記消費電力量の各項目の評価結果を数値化し、
前記評価部は、前記数値と前記係数とから前記画像形成装置毎に評価値を算出することを特徴とする画像処理装置。
【請求項４】
請求項１から請求項３のいずれか１項に記載の画像処理装置において、
前記画像形成装置情報取得部は、前記画像形成装置から取得した機種情報を基に、画像形成装置仕様リストから前記画像形成装置の仕様情報を取得することを特徴とする画像処理装置。
【請求項５】
請求項１から請求項４のいずれか１項に記載の画像処理装置において、
前記画像形成装置情報取得部が取得した仕様情報を保持する画像形成装置情報格納部を有することを特徴とする画像処理装置。
【請求項６】
請求項１から請求項５のいずれか１項に記載の画像処理装置において、
前記状態情報を基に、印刷可能な前記画像形成装置を判定する印刷条件判定部を有することを特徴とする画像処理装置。
【請求項７】
請求項１から請求項６のいずれか１項に記載の画像処理装置において、
ユーザの操作により、前記重み情報の入力および印刷を許可する前記画像形成装置の指定を受け付ける選定条件入力部を有することを特徴とする画像処理装置。
【請求項８】
請求項７に記載の画像処理装置において、
前記選定条件入力部で選択される前記画像形成装置の画像形成装置名称およびアドレスを格納する画像形成装置リストを有することを特徴とする画像処理装置。
【請求項９】
画像形成装置と、クライアント端末と、サーバとが通信回線に接続された画像処理システムにおいて、
前記サーバは、
前記通信回線に接続された複数の前記画像形成装置の仕様情報および状態情報を取得する画像形成装置情報取得部と、
前記仕様情報および状態情報を評価する項目毎に重み情報を前記クライアント端末から受信して保持する重み格納部と、
前記仕様情報および状態情報と前記重み情報とを基に、それぞれの前記画像形成装置を複数の前記項目に基づいて評価し、前記画像形成装置を順位付けする画像形成装置評価手段と、
前記画像形成装置評価手段が順位付けした前記画像形成装置の中から最適な画像形成装置を選定する画像形成装置選定部とを有することを特徴とする画像処理システム。
【発明の詳細な説明】
【技術分野】
【０００１】
本発明は、ネットワークにより画像形成装置と接続された画像処理装置および画像処理システムに関する。
【背景技術】
【０００２】
従来の画像処理装置は、ネットワークに接続された複数の画像形成装置に対し、消費電力および画像形成動作を開始するまでの待ち時間の順位付けをそれぞれ行い、ユーザに各順位情報および各評価値を伝えることで、ユーザに各評価項目のバランスを考慮した最適な画像形成装置を選択させるようにしているものがある（例えば、特許文献１参照）。
【先行技術文献】
【特許文献】
【０００３】
【特許文献１】特開２０１０−２８７１３２号公報
【発明の概要】
【発明が解決しようとする課題】
【０００４】
しかしながら、従来の技術においては、各評価項目のバランスの考慮はユーザが各評価値を目視で確認することにより行う必要があり、選択の候補となる画像形成装置が多数存在する場合はユーザにとって最適な画像形成装置を選択する作業が煩雑なものになるという問題がある。
本発明は、このような問題を解決することを課題とし、複数の画像形成装置の中からユーザにとって最適な画像形成装置を選択することを目的とする。
【課題を解決するための手段】
【０００５】
そのため、本発明は、通信回線に接続された複数の画像形成装置の仕様情報および状態情報を取得する画像形成装置情報取得部と、前記仕様情報および状態情報を評価する項目毎に重み情報を保持する重み格納部と、前記仕様情報および状態情報と前記重み情報とを基に、それぞれの前記画像形成装置を複数の前記項目に基づいて評価し、前記画像形成装置を順位付けする画像形成装置評価手段と、前記画像形成装置評価手段が順位付けした前記画像形成装置の中から最適な画像形成装置を選定する画像形成装置選定部とを有することを特徴とする。
【発明の効果】
【０００６】
このようにした本発明は、複数の画像形成装置の中からユーザにとって最適な画像形成装置を選択することができるという効果が得られる。
【図面の簡単な説明】
【０００７】
【図１】第１の実施例における画像処理装置の構成を示すブロック図
【図２】第１の実施例におけるネットワーク構成を示すブロック図
【図３】第１の実施例における印刷処理の流れを示すフローチャート
【図４】第１の実施例におけるプリンタ選定処理の流れを示すフローチャート
【図５】第１の実施例におけるプリンタ情報取得処理の流れを示すフローチャート
【図６】第１の実施例における印刷可能プリンタ判定処理の流れを示すフローチャート
【図７】第１の実施例における印刷プリンタ評価処理の流れを示すフローチャート
【図８】第１の実施例におけるプリンタ選定条件入力画面の説明図
【図９】第１の実施例における印刷確認画面の説明図
【図１０】第１の実施例におけるスペックリストの説明図
【図１１】第１の実施例におけるプリンタ情報の説明図
【図１２】第１の実施例における優先レベルと重みの対応表の説明図
【図１３】第１の実施例における印刷設定の説明図
【図１４】第１の実施例における評価値演算結果の説明図
【図１５】第２の実施例における画像処理システムの構成を示すブロック図
【図１６】第２の実施例における印刷処理の流れを示すフローチャート
【発明を実施するための形態】
【０００８】
以下、図面を参照して本発明による画像処理装置および画像処理システムの実施例を説明する。
【実施例１】
【０００９】
図１は第１の実施例における画像処理装置の構成を示すブロック図である。
画像処理装置としてのパーソナルコンピュータ（以下、「ＰＣ」という。）１１０は、文章作成ソフトウェアなどのアプリケーションソフトウェア（以下、「アプリ」という。）１２０と、画像データおよび印刷設定等の印刷情報から印刷データを生成する印刷データ生成部１３１並びに印刷データの印刷要求を出力する印刷要求部１３２により構成されたプリンタドライバ（ソフトウェア）１３０と、通信回線としてのネットワーク１００に接続された外部機器と通信を行う通信制御部１４０と、ネットワーク１００に接続されたプリンタの選定を行うプリンタ選定ソフトウェア（以下、「プリンタ選定ＳＷ」という。）１５０とにより構成されている。
【００１０】
ＰＣ１１０は、ネットワーク１００を介し、図２に示すように複数の画像形成装置としてのプリンタ２０１〜２０５（プリンタ名：プリンタＡ、プリンタＢ、プリンタＣ、プリンタＤ、プリンタＥ）と通信可能に接続されている。なお、ネットワーク１００は、ＴＣＰ／ＩＰ等の通信プロトコルを使用するＬＡＮ（Ｌｏｃａｌ  Ａｒｅａ  Ｎｅｔｗｏｒｋ）等である。
【００１１】
プリンタ選定ＳＷ１５０は、印刷プリンタ選定制御部１５１と、印刷情報設定部１５２と、印刷情報格納部１５５と、選定条件入力部１６０と、印刷プリンタリスト１６１と、重み格納部１６２と、印刷プリンタ選定部１５４と、プリンタスペックリスト１５７と、プリンタ情報取得部１５６と、プリンタ情報格納部１５８と、印刷条件判定部１５９と、印刷プリンタ評価手段１７０と、ドライバ選択部１５３とにより構成されている。
【００１２】
印刷プリンタ選定制御部１５１は、プリンタ選定ＳＷ１５０のメイン制御を行う。
印刷情報設定部１５２は、ユーザの操作により、カラー／モノクロ設定、片面／両面印刷設定などの印刷条件を設定する印刷設定を行う。
印刷情報格納部１５５は、印刷情報設定部１５２で設定された印刷設定を格納する。
画像形成装置仕様リストとしてのプリンタスペックリスト１５７は、印刷速度や消費電力などのプリンタの設定評価に必要なプリンタの仕様情報（スペック情報）を機種毎にデータベース化したものである。
【００１３】
画像形成装置情報取得部としてのプリンタ情報取得部１５６は、ネットワーク１００に接続された複数のプリンタの仕様情報およびプリンタの状態を表す状態情報を取得するものであり、通信制御部１４０を介し、ネットワーク１００に接続されたプリンタからプリンタの動作モード（例えば、省電力モードまたは待機モード）や装置異常の有無などの状態情報としてのステータス情報およびプリンタの機種を表す機種情報としての機種コードを取得し、その機種コードを基にプリンタスペックリスト１５７から当該プリンタの仕様情報としてのスペック情報を取得する。
【００１４】
ここで、ステータス情報は、プリンタの使用状況に応じて変動している値であり、スペック情報は、プリンタ毎に設定される固定値である。
画像形成装置情報格納部としてのプリンタ情報格納部１５８は、プリンタ情報取得部１５６が取得したステータス情報やスペック情報をプリンタ情報として格納し、保持する。
印刷条件判定部１５９は、印刷情報格納部１５５に格納された印刷設定と、プリンタ情報格納部１５８に格納されたプリンタ情報（ステータス情報）とを基に印刷プリンタリスト１６１の中から印刷可能なプリンタを判定する。
【００１５】
選定条件入力部１６０は、ユーザの操作により、印刷を許可するプリンタの指定、並びに消耗品のコスト、印刷完了時間、および印刷による増加消費電力等の評価項目に対する重み付けの係数である重み情報（以下、「重み」ともいう。）など、選定条件を入力する。なお、この評価項目は、スペック情報およびステータス情報に基づいて演算して数値化する項目である。
画像形成装置リストとしての印刷プリンタリスト１６１は、印刷を許可するプリンタのプリンタ名（画像形成装置名称）やＩＰアドレスなどの情報を格納する。
重み格納部１６２は、消耗品のコスト、印刷完了時間、および印刷による増加消費電力等の評価項目毎に、重み情報を保持するものであり、選定条件入力部１６０で入力された評価項目を重み付けする重み情報を数値として格納する。
【００１６】
画像形成装置選定部としての印刷プリンタ選定部１５４は、印刷プリンタ評価手段１７０が順位付けしたプリンタの中から最適なプリンタを選定する印刷プリンタの選定制御を行う。
画像形成装置評価手段としての印刷プリンタ評価手段１７０は、スペック情報およびステータス情報と重み情報とを基に、それぞれのプリンタを複数の評価項目に基づいて（１つの評価として）評価し、プリンタを順位付けするものであり、印刷情報格納部１５５に格納された印刷設定と、プリンタ情報格納部１５８に格納されたプリンタ情報と、重み格納部１６２に格納された重みとを基に印刷条件判定部１５９で印刷可能と判定されたプリンタを評価し、順位付けを行う。
【００１７】
ドライバ選択部１５３は、選定されたプリンタの機種コードから利用するプリンタドライバを選択し、印刷情報（画像データおよび印刷設定）と選定されたプリンタの情報（ＩＰアドレス）を選択したプリンタドライバに送る。
印刷プリンタ評価手段１７０は、評価項目演算部１７１と、印刷プリンタ評価部１７２とにより構成されている。
演算部としての評価項目演算部１７１は、プリンタ情報格納部１５８に格納されたプリンタ情報およびステータス情報（仕様情報および状態情報）と、印刷情報格納部１５５に格納された印刷条件としての印刷設定とから消耗品のコスト、印刷完了時間、および印刷による増加消費電力等の評価項目毎の評価結果を数値化する。
【００１８】
評価部としての印刷プリンタ評価部１７２は、評価項目演算部１７１の演算結果である数値化した評価結果と、重み格納部１６２に格納された各評価項目の重み情報とからプリンタ毎に１つの評価値を算出して各プリンタを評価し、プリンタを順位付けする。
なお、ＰＣ１１０は、ディスプレイ等の表示部および操作者の入力操作を受け付ける操作部を備え、またＣＰＵ（Ｃｅｎｔｒａｌ  Ｐｒｏｃｅｓｓｉｎｇ  Ｕｎｉｔ）等の制御部およびメモリ等の記憶部を備え、制御部が記憶部に記憶された制御プログラム（ソフトウェア）に基づいてＰＣ１１０全体の動作を制御する。
【００１９】
上述した構成の作用について図３〜図１２を用いて説明する。
まず、ＰＣが行う印刷処理を図３の第１の実施例における印刷処理の流れを示すフローチャートの図中Ｓで表すステップにしたがって図１を参照しながら説明する。
Ｓ３０１：ＰＣ１１０のアプリ１２０で作成した文書の印刷を実行すると、アプリ１２０はプリンタ選定ＳＷ１５０を起動する。
Ｓ３０２：起動されたプリンタ選定ＳＷ１５０の印刷プリンタ選定制御部１５１の要求を受けた印刷情報設定部１５２は、印刷設定入力画面を表示部に表示し、印刷範囲、印刷部数、用紙サイズ、片面／両面印刷、カラー／モノクロ印刷等の印刷設定のユーザによる入力を受け付ける。
【００２０】
Ｓ３０３：印刷情報設定部１５２は、印刷設定が完了するまでユーザの入力を受付け、印刷設定が完了すると入力された印刷設定を印刷情報格納部１５５に格納して処理をＳ３０４へ移行する。
Ｓ３０４：印刷情報設定部１５２が印刷設定を完了すると、選定条件入力部１６０は、プリンタ選定条件入力画面を表示部に表示させ、印刷を許可するプリンタの選択と、プリンタを選定する上での優先度とを設定するユーザの入力操作を受け付ける。
【００２１】
プリンタ選定条件入力画面は、例えば図８に示すようなプリンタ選定条件入力画面１０であり、印刷許可プリンタ１１内のプリンタ名の近傍のチェックボックス１２にチェックを入れると、印刷を許可する印刷許可プリンタに設定される。また、優先度を選択するための優先度選択１３で消耗品コスト優先１４、印刷完了時間優先１５、または印刷による増加消費電力優先１６を選択すると、選択した評価項目以外の重みが「０」になり、さらにユーザ設定１７で各評価項目の優先レベルを指定した場合は、選択した優先レベルに応じた重みが設定される。例えば、図１２に示すように、優先レベルと重みとを対応付けて使用するものとする。なお、各評価項目の重みが、同じ優先レベルで同等の値となるように設定されているものとする。ここで、評価項目の重みをユーザが直接指定する方法としても良い。
【００２２】
Ｓ３０５：選定条件入力部１６０は、選定条件の設定が完了するまでユーザの入力を受付け、選定条件の設定が完了すると選択されたプリンタを印刷プリンタ候補の情報として印刷プリンタリスト１６１に、入力された優先度を各評価項目の重みとして重み格納部１６２に格納して処理をＳ３０６へ移行する。
Ｓ３０６：選定条件入力部１６０が選定条件の設定が完了すると、印刷プリンタ選定部１５４は、ネットワーク１００に接続されたプリンタの中から印刷を行うプリンタを設定するプリンタ選定処理を行う。このプリンタ選定処理の詳細は後述する。
Ｓ３０７：印刷プリンタ選定制御部１５１は、選定されたプリンタの有無を判定し、有ると判定すると処理をＳ３０８へ移行し、無いと判定すると処理をＳ３１４へ移行する。
【００２３】
Ｓ３０８：選定されたプリンタが有ると判定した印刷プリンタ選定制御部１５１は、印刷確認画面を表示部に表示して選定したプリンタで印刷してよいか否かをユーザに確認する。
印刷確認画面は、例えば図９に示す印刷確認画面であり、ユーザは、選定されたプリンタでの印刷を許可する場合、「ＯＫ」を選択し、許可しない場合、「キャンセル」を選択するものとする。
Ｓ３０９：印刷プリンタ選定制御部１５１は、印刷が許可されたと判定すると処理をＳ３１０へ移行し、印刷が許可されなかったと判定すると、本処理を終了する。
【００２４】
Ｓ３１０：印刷が許可されたと判定した印刷プリンタ選定制御部１５１の要求により、ドライバ選択部１５３は、選定されたプリンタに対応するプリンタドライバ１３０に画像データや印刷設定などの印刷情報と、選定したプリンタのＩＰアドレスを送る。
Ｓ３１１：プリンタドライバ１３０の印刷データ生成部１３１は、受けた印刷情報に基づいて印刷データを生成する。
Ｓ３１２：印刷データ生成部１３１が印刷データを生成すると、プリンタドライバ１３０の印刷要求部１３２は、生成された印刷データをＩＰアドレスで示される選定されたプリンタ宛に送信する。
【００２５】
Ｓ３１３：印刷データを受信したプリンタは、その印刷データを印刷して本処理を終了する。
Ｓ３１４：一方、Ｓ３０７において、選定されたプリンタが無いと判定した印刷プリンタ選定制御部１５１は、印刷可能なプリンタが存在しない旨を表示部に表示してユーザに報知し、本処理を終了する。なお、Ｓ３０７において、選定されたプリンタが無いと判定した場合、印刷プリンタ選定制御部１５１は、処理をＳ３０２へ移行し、再度、ユーザによる印刷設定の入力を受け付けるようにしても良い。
【００２６】
次に、図１に示すプリンタ選定ＳＷ１５０が行うプリンタ選定処理を図４の第１の実施例におけるプリンタ選定処理の流れを示すフローチャートの図中Ｓで表すステップにしたがって図１を参照しながら説明する。なお、本プリンタ選定処理は、図３のＳ３０６において実行される処理である。
Ｓ４０１：プリンタ選定ＳＷ１５０の印刷プリンタ選定部１５４からの依頼を受けたプリンタ情報取得部１５６は、ネットワーク１００に接続されたすべてのプリンタからプリンタ情報を取得するプリンタ情報取得処理を行う。なお、プリンタ情報取得処理の詳細は後述する。
【００２７】
Ｓ４０２：印刷プリンタ選定部１５４からの依頼を受けた印刷条件判定部１５９は、印刷設定とプリンタ情報とから印刷可能なプリンタを判定する印刷可能プリンタ判定処理を行う。なお、印刷可能プリンタ判定処理の詳細は後述する。
Ｓ４０３：印刷プリンタ選定部１５４からの依頼を受けた印刷プリンタ評価部１７２は、プリンタ情報と各評価項目の重みとを基に、印刷可能なプリンタの評価を行い、順位付けを行うプリンタ評価処理を行う。なお、プリンタ評価処理の詳細は後述する。
Ｓ４０４：印刷プリンタ選定部１５４は、印刷プリンタ評価部１７２で順位付けされたプリンタの中から最も評価順位の高いプリンタを選定し、本処理を終了する。
【００２８】
次に、図１に示すプリンタ選定ＳＷ１５０のプリンタ情報取得部１５６が行うプリンタ情報取得処理を図５の第１の実施例におけるプリンタ情報取得処理の流れを示すフローチャートの図中Ｓで表すステップにしたがって図１を参照しながら説明する。なお、本プリンタ情報取得処理は、図４のＳ４０１において実行される処理である。また、本実施例では、ネットワークに接続されたすべてのプリンタに番号を付与し、プリンタ１（例えば、プリンタＡ）から順次プリンタ情報を取得するものとする。
Ｓ５０１：プリンタ情報取得部１５６は、プリンタ情報を取得する最初のプリンタをプリンタ１、すなわち変数ｉ＝１とする。
【００２９】
Ｓ５０２：プリンタ情報取得部１５６は、通信制御部１４０を介してプリンタｉから印刷可能なプリンタの判定や評価に用いるプリンタのステータス情報および機種コードを取得する。ステータス情報には、動作モード情報（待機モードまたは省電力（節電）モードなど）、省電力モードへの移行時間、両面印刷ユニットの有無、各カセットの用紙サイズ、用紙の有無、残トナーの有無、その他エラーの有無などの情報が含まれたものである。
Ｓ５０３：プリンタ情報取得部１５６は、取得した機種コードを基に、プリンタスペックリスト１５７から評価に必要なプリンタｉのスペック情報を取得する。
【００３０】
ここで、プリンタスペックリスト１５７は、図１０に示すように、プリンタの機種コードで表される機種（例えば、機種Ｘ１、機種Ｘ２、機種Ｘ３、機種Ｘ４）毎に、スペックで表される各仕様が記述されたデータベースである。
なお、本実施例では、プリンタのスペック情報をプリンタスペックリスト１５７から取得するようにしたが、各プリンタにスペック情報が格納されていれば、プリンタから直接取得するようにしても良い。
Ｓ５０４：プリンタ情報取得部１５６は、Ｓ５０２およびＳ５０３において取得したプリンタｉのステータス情報およびスペック情報を合わせたプリンタ情報を、プリンタ情報格納部１５８に格納する。
【００３１】
Ｓ５０５：プリンタ情報取得部１５６は、プリンタ情報を取得するプリンタをプリンタ（ｉ＋１）、すなわち変数ｉ＝ｉ＋１とする。
Ｓ５０６：プリンタ情報取得部１５６は、ネットワーク１００に接続されたすべてのプリンタのプリンタ情報を取得したか否かを判定し、すべてのプリンタについて取得したと判定すると本処理を終了し、プリンタ情報を取得するプリンタが残っていると判定すると処理をＳ５０２へ移行し、Ｓ５０２〜Ｓ５０６の処理を繰り返す。
プリンタ情報取得部１５６に格納されるプリンタ情報は、例えば図１１に示すように、プリンタの機種毎に、ステータスおよびスペックが記述された情報となる。
【００３２】
次に、図１に示すプリンタ選定ＳＷ１５０の印刷条件判定部１５９が行う印刷可能プリンタ判定処理を図６の第１の実施例における印刷可能プリンタ判定処理の流れを示すフローチャートの図中Ｓで表すステップにしたがって図１を参照しながら説明する。なお、本印刷可能プリンタ判定処理は、図４のＳ４０２において実行される処理である。
Ｓ６０１：印刷条件判定部１５９は、印刷プリンタリスト１６１からユーザが印刷を許可した印刷許可プリンタを印刷プリンタ候補として取得する。
Ｓ６０２：また、印刷条件判定部１５９は、印刷情報格納部１５５から印刷設定を取得する。
【００３３】
Ｓ６０３：さらに、印刷条件判定部１５９は、プリンタ情報格納部１５８からプリンタ情報を取得する。
Ｓ６０４：印刷条件判定部１５９は、印刷プリンタ候補のすべてのプリンタに番号を付与し、プリンタ１（例えば、プリンタＡ）から順次、印刷可能なプリンタであるか否かを判定するため、変数ｉ＝１とする。
Ｓ６０５：印刷条件判定部１５９は、印刷データが両面印刷であるか否かを判定し、両面印刷であると判定すると処理をＳ６０６へ移行し、両面印刷でない、すなわち片面印刷であると判定すると処理をＳ６０７へ移行する。
【００３４】
Ｓ６０６：印刷データが両面印刷であると判定した印刷条件判定部１５９は、プリンタ情報を参照してプリンタｉに両面印刷ユニットが備えられているか否かを確認し、両面印刷ユニットを備えていると判定すると処理をＳ６０７へ移行し、両面印刷ユニットを備えていないと判定すると処理をＳ６１２へ移行する。
Ｓ６０７：次に、印刷条件判定部１５９は、印刷データがカラー印刷であるか否かを判定し、カラー印刷であると判定すると処理をＳ６０８へ移行し、カラー印刷でない、すなわちモノクロ印刷であると判定すると処理をＳ６０９へ移行する。
【００３５】
Ｓ６０８：印刷データがカラー印刷であると判定した印刷条件判定部１５９は、プリンタ情報を参照してプリンタｉがカラープリンタか否かを確認し、カラープリンタであると判定すると処理をＳ６０９へ移行し、カラープリンタでない、すなわちモノクロプリンタであると判定すると処理をＳ６１２へ移行する。
Ｓ６０９：印刷条件判定部１５９は、プリンタ情報の各カセットの用紙サイズの情報を基に、印刷データを印刷設定の用紙サイズ設定で印刷可能か否かを判定し、印刷可能であると判定すると処理をＳ６１０へ移行し、印刷不可能であると判定すると処理をＳ６１２へ移行する。
【００３６】
Ｓ６１０：印刷条件判定部１５９は、プリンタ情報を参照してプリンタｉの用紙の有無、残トナーの有無、エラーの有無等を確認し、プリンタｉで印刷可能か否かを判定し、印刷可能と判定すると処理をＳ６１１へ移行し、印刷不可能と判定すると処理をＳ６１２へ移行する。
Ｓ６１１：印刷可能と判定した印刷条件判定部１５９は、プリンタｉを印刷可能に設定し、処理をＳ６１３へ移行する。
Ｓ６１２：印刷不可能と判定した印刷条件判定部１５９は、プリンタｉを印刷不可能に設定し、処理をＳ６１３へ移行する。
【００３７】
Ｓ６１３：印刷条件判定部１５９は、判定するプリンタをプリンタ（ｉ＋１）、すなわち変数ｉ＝ｉ＋１とする。
Ｓ６１４：印刷条件判定部１５９は、すべての印刷プリンタ候補に対して印刷条件を判定したか否かを判定し、すべての印刷プリンタ候補について判定済みであると判定すると処理をＳ６１５へ移行し、未判定の印刷プリンタ候補が残っていると判定すると処理をＳ６０５へ移行し、Ｓ６０５〜Ｓ６１４の処理を繰り返す。
Ｓ６１５：印刷条件判定部１５９は、印刷可能に設定したプリンタを印刷可能プリンタとして抽出し、本処理を終了する。
【００３８】
次に、図１に示すプリンタ選定ＳＷ１５０の印刷プリンタ評価手段１７０の印刷プリンタ評価部１７２が行う印刷プリンタ評価処理を図７の第１の実施例における印刷プリンタ評価処理の流れを示すフローチャートの図中Ｓで表すステップにしたがって図１を参照しながら説明する。なお、本印刷プリンタ評価処理は、図４のＳ４０３において実行される処理である。
Ｓ７０１：印刷プリンタ評価部１７２は、重み格納部１６２からユーザが指定した各評価項目（例えば、消耗品のコスト、印刷完了時間、印刷による増加消費電力）の重みを取得する。
【００３９】
Ｓ７０２：また、印刷プリンタ評価部１７２は、印刷情報格納部１５５から印刷枚数を取得する。
Ｓ７０３：さらに、印刷プリンタ評価部１７２は、プリンタ情報格納部１５８からプリンタ情報を取得する。
Ｓ７０４：印刷プリンタ評価部１７２は、印刷可能プリンタのすべてのプリンタに番号を付与し、プリンタ１（例えば、プリンタＡ）から順次、印刷可能プリンタの各評価項目による評価を行うため、変数ｉ＝１とする。
Ｓ７０５：印刷プリンタ評価部１７２の依頼により評価項目演算部１７１は、プリンタｉのイメージドラムの消耗量の演算を行い、さらに消耗品コストの演算を行う。
【００４０】
イメージドラムの消耗品コストの演算は、消耗品のコストをＣi[円]、イニシャル動作でのイメージドラムの消耗量（４色合計）をＣiｄi[ドラムカウント]、用紙１枚印刷あたりのイメージドラムの消耗量をＣｐｄi[ドラムカウント]、イメージドラムの価格をＹｄi[円]、イメージドラムの印刷可能枚数をＬｄi[ドラムカウント]、印刷枚数をＮ[枚]、動作モードをｍi（０：待機モード、１：省電力モード）としたとき、
カラー印刷の場合：Ｃi＝Ｙｄi×（Ｃiｄi×ｍi＋Ｎ×４×Ｃｐｄi）／Ｌｄi
モノクロ印刷の場合：Ｃｉ＝Ｙｄｉ×（Ｃｉｄｉ×ｍｉ＋Ｎ×Ｃｐｄｉ）／Ｌｄi
の計算式で行う。
【００４１】
なお、１ドラムカウントは、１枚の用紙に印刷を行うために必要なイメージドラムの回転数である。
ここで、消耗品コストの一例としてイメージドラムの消耗量によるもののみを説明したが、トナー消費量、ベルト消耗量などによる消耗品コストを付加して算出するようにしても良い。
【００４２】
Ｓ７０６：印刷プリンタ評価部１７２の依頼により評価項目演算部１７１は、プリンタｉの印刷完了時間の演算を行う。
印刷完了時間の演算は、印刷完了時間をＴi[秒]、ウォームアップ時間Ｔｅｎi[秒]、ファースト印刷時間（カラー）をＴ１ｐｃi[秒]、ファースト印刷時間（モノクロ）をＴ１ｐｍi[秒]、印刷速度（カラー）をＶｃi[枚／分]、印刷速度（モノクロ）をＶｍi[枚／分]、動作モードをｍi（０：待機モード、１：省電力モード）としたとき、
カラー印刷の場合：Ｔi＝Ｔｅｎi×ｍi＋Ｔ１ｐｃi＋（Ｎ−１）×６０／Ｖｃi
モノクロ印刷の場合：Ｔi＝Ｔｅｎi×ｍi＋Ｔ１ｐｍi＋（Ｎ−１）×６０／Ｖｍi
の計算式で行う。
【００４３】
Ｓ７０７：印刷プリンタ評価部１７２の依頼により評価項目演算部１７１は、プリンタｉの印刷による増加消費電力の演算を行う。
印刷による増加消費電力の演算は、印刷による増加消費電量をＰi[ｋＷ・秒]、平均消費電力（動作時）をＰａｐi[Ｗ]、平均消費電力（待機時）をＰａｎi[Ｗ]、平均消費電力（省電力モード時）をＰａｅi[Ｗ]、省電力モードへの移行時間をＴｎｅi[秒]、動作モードをｍi（０：待機モード、１：省電力モード）としたとき、
Ｐi＝（（Ｐａｐi−Ｐａｎi×（１−ｍi）−Ｐａｅi×ｍｉ）×Ｔi＋（Ｐａｎi−Ｐａｅi）×Ｔｎｅi×ｍi）／１０００
の計算式で行う。
【００４４】
Ｓ７０８：印刷プリンタ評価部１７２１は、プリンタｉの各評価項目と重みを組み合わせた評価関数の値を求める。
評価関数の値は、評価関数の値をＳi、消耗品コストの重みをＷｃ、印刷完了時間の重みをＷｔ、印刷による増加消費電力の重みをＷｐとしたとき、上述の消耗品のコストＣi、印刷完了時間Ｔi、および印刷による増加消費電量Ｐiを用いて、
Ｓi＝Ｗｃ×Ｃi＋Ｗｔ×Ｔi＋Ｗｐ×Ｐi
の計算式で行う。
【００４５】
Ｓ７０９：印刷プリンタ評価部１７２は、評価するプリンタをプリンタ（ｉ＋１）、すなわち変数ｉ＝ｉ＋１とする。
Ｓ７１０：印刷プリンタ評価部１７２は、すべての印刷可能プリンタに対して評価を行ったか否かを判定し、すべての印刷可能プリンタについて評価済みであると判定すると処理をＳ７１１へ移行し、未評価の印刷可能プリンタが残っていると判定すると処理をＳ７０５へ移行し、Ｓ７０５〜Ｓ７１０の処理を繰り返す。
【００４６】
Ｓ７１１：印刷プリンタ評価部１７２は、評価したプリンタを評価関数の値が小さい順に順位付けを行う。
Ｓ７１２：印刷プリンタ評価部１７２は、同一順位のプリンタが存在するか否かを判定し、存在すると判定すると処理をＳ７１３へ移行し、存在しないと判定すると本処理を終了する。
【００４７】
Ｓ７１３：同一順位のプリンタが存在すると判定した印刷プリンタ評価部１７２は、最も重みの大きい評価項目の値のみを比較し、Ｓ７１１において同一順位となったプリンタを、最も重みの大きい評価項目の値が小さい順に、再度順位付けを行う。
Ｓ７１４：印刷プリンタ評価部１７２は、さらに同一順位のプリンタが存在するか否かを判定し、存在すると判定すると処理をＳ７１５へ移行し、存在しないと判定すると本処理を終了する。
Ｓ７１５：さらに、同一順位のプリンタが存在すると判定した印刷プリンタ評価部１７２は、同一順位となったプリンタを、評価した順に順位付けを行い、本処理を終了する。
【００４８】
なお、同一順位であったときのプリンタの順位付けは、ユーザに予め優先順位を付けさせておき、その優先順位にしたがって行うようにしても良い。
このように、印刷プリンタ評価手段１７０が印刷情報格納部１５５に格納された印刷設定と、プリンタ情報格納部１５８に格納されたプリンタ情報と、重み格納部１６２に格納された重みとを基に印刷条件判定部１５９で印刷可能と判定されたプリンタを評価し、順位付けを行うようにしたことにより、各評価項目において重みを用いて評価項目全体のバランスを評価してユーザが所望するプリンタを自動的に選定することができる。
【００４９】
以下に、具体的なプリンタの選定例を、図１を参照しながら説明する。
印刷データの印刷用紙サイズがＡ４、ページ数が１００ページであり、印刷設定が図１３に示すように、印刷範囲が「すべて」、印刷部数が「１」、片面／両面印刷が「両面印刷」、カラー／モノクロ印刷が「カラー印刷」であり、また選定条件を、図８に示すように、プリンタＡ〜Ｄに対して印刷を許可し、優先度選択でユーザ設定とし、消耗品コストを「優先レベル０」、印刷完了時間を「優先レベル３」、印刷による増加消費電力を「優先レベル１」に設定したとき、図２に示すネットワーク１００に接続されたプリンタ２０１〜２０５におけるプリンタ情報が図１１に示すプリンタ情報であったとする。
印刷条件判定部１５９は、図６に示す印刷可能プリンタ判定処理を行い、ユーザにより印刷が許可されたプリンタＡ（２０１）、プリンタＢ（２０２）、プリンタＣ（２０３）、プリンタＤ（２０４）の中からエラーの有るプリンタＤ（２０４）を除いたプリンタＡ（２０１）、プリンタＢ（２０２）、プリンタＣ（２０３）を印刷可能プリンタと判定する。
【００５０】
次に、印刷プリンタ評価手段１７０は、印刷可能プリンタであるプリンタＡ（２０１）、プリンタＢ（２０２）、プリンタＣ（２０３）に対して図１１に示すプリンタ情報を基に消耗品コスト、印刷完了時間、印刷による増加消費電力の評価を行い、重み格納部１６２に格納された各評価項目の重みを基に評価関数で評価項目全体の評価を行う。
ここで、ユーザが設定した各評価項目の優先レベルは、消耗品コストが優先レベル０、印刷完了時間が優先レベル３、印刷による増加消費電力が優先レベル１であるから、優先レベルと重みの対応を図１２に示す優先レベル重み対応表に基づいて行うと、重み格納部１６２に格納されている各評価項目の重みは、消耗品コストの重みＷｃ＝０、印刷完了時間の重みＷｔ＝３、印刷による増加消費電力の重みＷｐ＝２となる。
【００５１】
各評価項目の計算式および重み付けした評価関数を上述した計算式および評価関数とした場合、評価関数の値は、図１４に示すように、プリンタＡ（２０１）＝７３４．５、プリンタＢ（２０２）＝７４１．７、プリンタＣ（２０３）＝５５１．１となり、評価関数の値が最小であるプリンタＣ（２０３）が選定される。
以上説明したように、第１の実施例では、印刷プリンタ評価手段が印刷情報格納部に格納された印刷設定と、プリンタ情報格納部に格納されたプリンタ情報と、重み格納部に格納された重みとを基に印刷条件判定部で印刷可能と判定されたプリンタを評価し、順位付けを行うようにしたことにより、各評価項目において重みを用いて評価項目全体のバランスを評価してユーザが所望するプリンタを自動的に選定することができるという効果が得られる。
【実施例２】
【００５２】
第２の実施例の構成は、ユーザから入力される印刷設定やプリンタ設定条件の情報管理をクライアントＰＣで行い、プリンタ選定処理のメイン制御をサーバＰＣで行うものとしている。なお、上述した第１の実施例と同様の部分は、同一の符号を付してその説明を省略する。
図１５は第２の実施例における画像処理システムの構成を示すブロック図である。
【００５３】
図１５において、画像処理システムは、ネットワーク１００を介し、クライアント端末としてのクライアントＰＣ１５１１と、サーバＰＣ１５１０と、図２に示す画像形成装置としてのプリンタ２０１〜２０５（プリンタ名：プリンタＡ、プリンタＢ、プリンタＣ、プリンタＤ、プリンタＥ）とが通信可能に接続されて構成されている。
クライアントＰＣ（以下、「クライアント」という。）１５１１は、文章作成ソフトウェアなどのアプリ１２０と、ユーザから入力される印刷設定やプリンタ選定条件の情報管理、およびサーバＰＣ（以下、「サーバ」という。）１５１０に対してプリンタの選定を要求するクライアント用プリンタ選定ＳＷ１５９０と、ネットワーク１００に接続された外部機器と通信を行う通信制御部１５８０とにより構成されている。
【００５４】
クライアント用プリンタ選定ＳＷ１５９０は、クライアント用プリンタ選定ＳＷ制御部１５９１と、印刷情報設定部１５９２と、クライアント用印刷情報格納部１５９３と、選定条件入力部１５９４と、クライアント用印刷プリンタリスト１５９５と、クライアント用重み格納部１５９６とにより構成されている。
クライアント用プリンタ選定ＳＷ制御部１５９１は、印刷設定やプリンタ選定条件の情報管理、およびサーバ１５１０に対するプリンタ選定要求の制御を行う。
印刷情報設定部１５９２は、図１に示す印刷情報設定部１５２に対応するものであり、ユーザの操作により、カラー／モノクロ設定、片面／両面印刷設定などの印刷条件を設定する印刷設定を行う。
【００５５】
クライアント用印刷情報格納部１５９３は、印刷情報設定部１５９２で設定された印刷設定をクライアント１５１１内で記憶するものである。
選定条件入力部１５９４は、図１に示す選定条件入力部１６０に対応するものであり、ユーザの操作により、印刷を許可するプリンタの指定、消耗品のコスト、印刷完了時間、および印刷による増加消費電力等の評価項目に対する重み付けなど、選定条件を入力する。
【００５６】
クライアント用印刷プリンタリスト１５９５は、印刷を許可するプリンタのプリンタ名やＩＰアドレスなどの情報をクライアント１５１１内で記憶するものである。
クライアント用重み格納部１５９６は、選定条件入力部１５９４で入力された評価項目の重みを数値としてクライアント１５１１内で記憶するものである。
サーバ１５１０は、プリンタドライバ１３０と、ネットワーク１００に接続された外部機器と通信を行う通信制御部１５４０と、クライアント１５１１から受け取った印刷設定と選定条件を基にネットワーク１００に接続されたプリンタの選定を行うサーバ用プリンタ選定ＳＷ１５５０とにより構成されている。
【００５７】
サーバ用プリンタ選定ＳＷ１５５０は、図１に示すプリンタ選定ＳＷ１５０の構成から印刷情報設定部１５２と、選定条件入力部１６０とを取り除き、印刷情報格納部１５５をサーバ用印刷情報格納部１５５５とし、印刷プリンタリスト１６１をサーバ用印刷プリンタリスト１５６１とし、重み格納部１６２をサーバ用重み格納部１５６２としたものである。
本実施例では、クライアント１５１１から通信制御部１５４０経由で受け取った、印刷設定および印刷データと、印刷プリンタ候補の情報と、各評価項目の重みを、印刷プリンタ選定制御部１５１が、それぞれ、サーバ用印刷情報格納部１５５５、サーバ用印刷プリンタリスト１５６１、サーバ用重み格納部１５６２に格納する構成となっている。
【００５８】
上述した構成の作用について説明する。
クライアントおよびサーバが行う印刷処理を図１６の第２の実施例における印刷処理の流れを示すフローチャートの図中Ｓで表すステップにしたがって図１５を参照しながら説明する。
なお、プリンタ選定処理、プリンタ情報取得処理、印刷可能プリンタ判定処理、および印刷プリンタ評価処理は、それぞれ第１の実施例における図４〜図７に示す処理と同様なのでその説明を省略する。
【００５９】
Ｓ８０１：クライアント１５１１のアプリ１２０で作成した文書の印刷を実行すると、アプリ１２０はクライアント用プリンタ選定ＳＷ１５９０を起動する。
Ｓ８０２：起動されたクライアント用プリンタ選定ＳＷ１５９０のクライアント用印刷プリンタ選定ＳＷ制御部１５９１の要求を受けた印刷情報設定部１５９２は、印刷設定入力画面を表示部に表示し、印刷範囲、印刷部数、用紙サイズ、片面／両面印刷、カラー／モノクロ印刷等の印刷設定のユーザによる入力を受け付ける。
【００６０】
Ｓ８０３、Ｓ８０４：印刷情報設定部１５９２は、印刷設定が完了するまでユーザの入力を受付け、印刷設定が完了すると入力された印刷設定をクライアント用印刷情報格納部１５９３に格納して処理をＳ８０５へ移行する。
Ｓ８０５：印刷情報設定部１５９２が印刷設定を完了すると、選定条件入力部１５９４は、プリンタ選定条件入力画面を表示部に表示させ、印刷を許可するプリンタの選択と、プリンタを選定する上での優先度とを設定するユーザの入力操作を受け付ける。なお、プリンタ選定条件入力画面は、例えば図８に示すようなプリンタ選定条件入力画面１０であり、第１の実施例と同様である。
【００６１】
Ｓ８０６：選定条件入力部１５９４は、選定条件の設定が完了するまでユーザの入力を受付け、選定条件の設定が完了すると処理をＳ８０７へ移行する。
Ｓ８０７：選定条件入力部１５９４は、選択されたプリンタを印刷プリンタ候補の情報としてクライアント用プリンタリスト１５９５に格納する。
Ｓ８０８：また、選定条件入力部１５９４は、入力された優先度を各評価項目の重みとしてクライアント用重み格納部１５９６に格納する。
【００６２】
Ｓ８０９：クライアント用プリンタ選定ＳＷ１５９０は、サーバ１５１０のサーバ用プリンタ選定ＳＷ１５５０を起動し、サーバ１５１０へ情報を送信可能な状態にする。
Ｓ８１０：クライアント用プリンタ選定ＳＷ１５９０は、印刷設定格納要求をサーバ１５１０へ送信し、印刷設定格納要求を受信したサーバ１５１０のサーバ用プリンタ選定ＳＷ１５５０は、受信した印刷設定をサーバ用印刷情報格納部１５５５に格納する。
Ｓ８１１：クライアント用プリンタ選定ＳＷ１５９０は、印刷プリンタ候補格納要求をサーバ１５１０へ送信し、印刷プリンタ候補格納要求を受信したサーバ１５１０のサーバ用プリンタ選定ＳＷ１５５０は、受信した印刷プリンタ候補をサーバ用プリンタリスト１５６１に格納する。
【００６３】
Ｓ８１２：クライアント用プリンタ選定ＳＷ１５９０は、重み格納要求をサーバ１５１０へ送信し、重み格納要求を受信したサーバ１５１０のサーバ用プリンタ選定ＳＷ１５５０は、受信した重みをサーバ用重み格納部１５６２に格納する。
Ｓ８１３：サーバ用プリンタ選定ＳＷ１５５０の印刷プリンタ選定部１５４は、ネットワーク１００に接続されたプリンタの中から印刷を行うプリンタを設定するプリンタ選定処理を行う。このプリンタ選定処理は第１の実施例と同様である。
【００６４】
Ｓ８１４：印刷プリンタ選定制御部１５１は、選定されたプリンタの有無を判定し、有ると判定すると処理をＳ８１５へ移行し、無いと判定すると処理をＳ８２１へ移行する。
Ｓ８１５：選定されたプリンタが有ると判定した印刷プリンタ選定制御部１５１は、印刷確認画面を表示部に表示して選定したプリンタで印刷してよいか否かをユーザに確認する。印刷確認画面は、例えば図９に示す印刷確認画面であり、第１の実施例と同様である。
Ｓ８１６：印刷プリンタ選定制御部１５１は、印刷が許可されたと判定すると処理をＳ８１７へ移行し、印刷が許可されなかったと判定すると、本処理を終了する。
【００６５】
Ｓ８１７：印刷が許可されたと判定した印刷プリンタ選定制御部１５１の要求により、ドライバ選択部１５３は、選定されたプリンタに対応するプリンタドライバ１３０に画像データや印刷設定などの印刷情報と、選定したプリンタのＩＰアドレスを送る。
Ｓ８１８：プリンタドライバ１３０の印刷データ生成部１３１は、受けた印刷情報に基づいて印刷データを生成する。
Ｓ８１９：印刷データ生成部１３１が印刷データを生成すると、プリンタドライバ１３０の印刷要求部１３２は、生成された印刷データをＩＰアドレスで示される選定されたプリンタ宛に送信する。
Ｓ８２０：印刷データを受信したプリンタは、その印刷データを印刷して本処理を終了する。
【００６６】
Ｓ８２１：一方、Ｓ８１４において、選定されたプリンタが無いと判定した印刷プリンタ選定制御部１５１は、印刷可能なプリンタが存在しない旨を表示部に表示してユーザに報知し、本処理を終了する。なお、Ｓ８１４において、選定されたプリンタが無いと判定した場合、印刷プリンタ選定制御部１５１は、処理をＳ８０２へ移行し、再度、ユーザによる印刷設定の入力を受け付けるようにしても良い。
なお、本実施例では、ユーザによりクライアント１５１１で設定された重みの情報をサーバ用重み格納部１５６２にそのまま格納するようにしたが、管理者によりサーバ１５１０で重みの情報を設定するようにしても良く、この場合、ユーザ間で共通の重みで各評価項目を評価することができるようになる。
【００６７】
以上説明したように、第２の実施例では、第１の実施例の効果に加え、プリンタドライバやプリンタスペックリストをサーバに備えるようにしたことにより、管理者は、プリンタの増設等が行われた場合、プリンタドライバのインストールやプリンタスペックリストの更新をサーバのみで行なえば良く、管理者の保守作業を容易にすることができるという効果が得られる。
なお、第１の実施例および第２の実施例では、画像形成装置をプリンタとして説明したが、それに限られることなく、受けた印刷データを印刷できる装置であれば複合機等であっても良い。
【符号の説明】
【００６８】
１００  ネットワーク
１１０  ＰＣ（パーソナルコンピュータ）
１２０  アプリ（アプリケーションソフトウェア）
１３０  プリンタドライバ
１３１  印刷データ生成部
１３２  印刷要求部
１４０、１５４０、１５８０  通信制御部
１５０  プリンタ選定ソフトウェア
１５１  印刷プリンタ選定制御部
１５２、１５９２  印刷情報設定部
１５３  ドライバ選択部
１５４  印刷プリンタ選定部
１５５  印刷情報格納部
１５６  プリンタ情報取得部
１５７  プリンタスペックリスト
１５８  プリンタ情報格納部
１５９  印刷条件判定部
１６０、１５９４  選定条件入力部
１６１  印刷プリンタリスト
１６２  重み格納部
１７０  印刷プリンタ評価手段
１７１  評価項目演算部
１７２  印刷プリンタ評価部
１５１０  サーバ（ＰＣ）
１５１１  クライアント（ＰＣ）
１５５０  サーバ用プリンタ選定ＳＷ
１５５５  サーバ用印刷情報格納部
１５６１  サーバ用印刷プリンタリスト
１５６２  サーバ用重み格納部
１５９０  クライアント用プリンタ選定ＳＷ
１５９１  クライアント用プリンタ選定ＳＷ制御部
１５９３  クライアント用印刷情報格納部
１５９５  クライアント用印刷プリンタリスト
１５９６  クライアント用重み格納部
【図１】
2014056542.tif 000003
【図２】
2014056542.tif 000004
【図３】
2014056542.tif 000005
【図４】
2014056542.tif 000006
【図５】
2014056542.tif 000007
【図６】
2014056542.tif 000008
【図７】
2014056542.tif 000009
【図８】
2014056542.tif 000010
【図９】
2014056542.tif 000011
【図１０】
2014056542.tif 000012
【図１１】
2014056542.tif 000013
【図１２】
2014056542.tif 000014
【図１３】
2014056542.tif 000015
【図１４】
2014056542.tif 000016
【図１５】
2014056542.tif 000017
【図１６】
2014056542.tif 000018